【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
複数のユーザの各々に設置された端末装置と、該端末装置と通信回線を介して接続されたサーバ装置とを備え、複数のユーザ間で協調しながら休憩をとる協調休憩を支援する休憩支援システムであって、
前記ユーザの端末装置の画面上に、他のユーザの休憩情報を表示する休憩情報表示手段と、
前記他のユーザとの協調休憩を選択する選択手段とを備えたことを特徴とする休憩支援システム。
【請求項２】
前記休憩情報表示手段は、前記他のユーザの休憩情報として、仮想的な休憩室に設けられたテーブルに前記他のユーザが着席していることを示す画像を表示し、
前記選択手段は、前記ユーザによって前記テーブルに同席することが示された後、前記他のユーザとの協調休憩を選択可能にすることを特徴とする請求項１記載の休憩支援システム。
【請求項３】
前記ユーザの端末装置の画面上に該ユーザの休憩経過時間を表示する休憩経過時間表示手段を備えたことを特徴とする請求項１記載の休憩支援システム。
【請求項４】
前記選択される協調休憩では、前記各ユーザの端末装置に付属するマイクおよびスピーカを用いた音声会話が可能であることを特徴とする請求項１記載の休憩支援システム。
【請求項５】
前記選択される協調休憩では、前記休憩情報とは別に表示されたウインドウを用いた文字会話が可能であることを特徴とする請求項１記載の休憩支援システム。
【請求項６】
複数のユーザの各々に設置された端末装置と、該端末装置と通信回線を介して接続されたサーバ装置とを備え、前記各ユーザの休憩を支援する休憩支援システムであって、
前記ユーザの休憩開始時刻を記録する開始時刻記録手段と、
前記ユーザの休憩終了時刻を記録する終了時刻記録手段と、
前記ユーザの合計休憩時間を集計する休憩時間集計手段と、
所定期間で集計された合計休憩時間が最短休憩時間に満たない前記ユーザに対して休憩取得勧告の通知を発行する休憩取得勧告手段と、
所定期間で集計された合計休憩時間が最長休憩時間を越える前記ユーザに対して休憩削減勧告の通知を発行する休憩削減勧告手段とを備えたことを特徴とする休憩支援システム。
【請求項７】
複数のユーザの各々に設置された端末装置と、該端末装置と通信回線を介して接続されたサーバ装置とを備えた休憩支援システムを用いて複数のユーザ間で協調しながら休憩をとる協調休憩を支援する休憩支援方法であって、
前記ユーザの端末装置の画面上に他のユーザの休憩情報を表示する工程と、
前記他のユーザとの協調休憩を選択する工程とを有することを特徴とする休憩支援方法。
【請求項８】
複数のユーザの各々に設置された端末装置と、該端末装置と通信回線を介して接続されたサーバ装置とを備えた休憩支援システムを用いて前記各ユーザの休憩を支援する休憩支援方法であって、
前記ユーザの休憩開始時刻を記録する工程と、
前記ユーザの休憩終了時刻を記録する工程と、
前記ユーザの合計休憩時間を集計する工程と、
所定期間で集計された合計休憩時間が最短休憩時間に満たない前記ユーザに対して休憩取得勧告の通知を発行する工程と、
所定期間で集計された合計休憩時間が最長休憩時間を越える前記ユーザに対して休憩削減勧告の通知を発行する工程とを有することを特徴とする休憩支援方法。
【請求項９】
複数のユーザの各々に設置された端末装置と、該端末装置と通信回線を介して接続されたサーバ装置とを備えた休憩支援システムに装着され、複数のユーザ間で協調しながら休憩をとる協調休憩を支援するためのプログラムを記憶する記憶媒体であって、
前記プログラムは、
前記ユーザの端末装置の画面上に他のユーザの休憩情報を表示する手順と、
前記他のユーザとの協調休憩を選択する手順とを含むことを特徴とする記憶媒体。
【請求項１０】
複数のユーザの各々に設置された端末装置と、該端末装置と通信回線を介して接続されたサーバ装置とを備えた休憩支援システムに装着され、前記各ユーザの休憩を支援するためのプログラムを記憶する記憶媒体であって、
前記プログラムは、
前記ユーザの休憩開始時刻を記録する手順と、
前記ユーザの休憩終了時刻を記録する手順と、
前記ユーザの合計休憩時間を集計する手順と、
所定期間で集計された合計休憩時間が最短休憩時間に満たない前記ユーザに対して休憩取得勧告の通知を発行する手順と、
所定期間で集計された合計休憩時間が最長休憩時間を越える前記ユーザに対して休憩削減勧告の通知を発行する手順とを含むことを特徴とする記憶媒体。
【請求項１１】
複数のユーザの各々に設置され、複数のユーザ間で協調しながら休憩をとる協調休憩を支援するサーバ装置と通信回線を介して接続された端末装置であって、
他のユーザの休憩情報を画面上に表示する休憩情報表示手段と、
前記他のユーザとの協調休憩を選択する選択手段とを備えたことを特徴とする端末装置。
【請求項１２】
複数のユーザの各々に設置された端末装置に通信回線を介して接続され、前記各ユーザの休憩を支援するサーバ装置であって、
前記ユーザの休憩開始時刻を記録する開始時刻記録手段と、
前記ユーザの休憩終了時刻を記録する終了時刻記録手段と、
前記ユーザの合計休憩時間を集計する休憩時間集計手段と、
所定期間で集計された合計休憩時間が最短休憩時間に満たない前記ユーザに対して休憩取得勧告の通知を発行する休憩取得勧告手段と、
所定期間で集計された合計休憩時間が最長休憩時間を越える前記ユーザに対して休憩削減勧告の通知を発行する休憩削減勧告手段とを備えたことを特徴とするサーバ装置。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】変更
【補正の内容】
【００１８】
請求項３に記載の休憩支援システムは、請求項１に係る休憩支援システムにおいて、前記ユーザの端末装置の画面上に該ユーザの休憩経過時間を表示する休憩経過時間表示手段を備えたことを特徴とする。


【手続補正４】
【補正対象書類名】明細書
【補正対象項目名】００１９
【補正方法】変更
【補正の内容】
【００１９】
請求項４に記載の休憩支援システムでは、請求項１に係る休憩支援システムにおいて、前記選択される協調休憩では、前記各ユーザの端末装置に付属するマイクおよびスピーカを用いた音声会話が可能であることを特徴とする。


【手続補正５】
【補正対象書類名】明細書
【補正対象項目名】００２０
【補正方法】変更
【補正の内容】
【００２０】
請求項５に記載の休憩支援システムでは、請求項１に係る休憩支援システムにおいて、前記選択される協調休憩では、前記休憩情報とは別に表示されたウインドウを用いた文字会話が可能であることを特徴とする。


【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
請求項６に記載の休憩支援システムは、複数のユーザの各々に設置された端末装置と、該端末装置と通信回線を介して接続されたサーバ装置とを備え、前記各ユーザの休憩を支援する休憩支援システムであって、前記ユーザの休憩開始時刻を記録する開始時刻記録手段と、前記ユーザの休憩終了時刻を記録する終了時刻記録手段と、前記ユーザの合計休憩時間を集計する休憩時間集計手段と、所定期間で集計された合計休憩時間が最短休憩時間に満たない前記ユーザに対して休憩取得勧告の通知を発行する休憩取得勧告手段と、所定期間で集計された合計休憩時間が最長休憩時間を越える前記ユーザに対して休憩削減勧告の通知を発行する休憩削減勧告手段とを備えたことを特徴とする。


【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】変更
【補正の内容】
【００２６】
請求項７に記載の休憩支援方法は、複数のユーザの各々に設置された端末装置と、該端末装置と通信回線を介して接続されたサーバ装置とを備えた休憩支援システムを用いて複数のユーザ間で協調しながら休憩をとる協調休憩を支援する休憩支援方法であって、前記ユーザの端末装置の画面上に他のユーザの休憩情報を表示する工程と、前記他のユーザとの協調休憩を選択する工程とを有することを特徴とする。


【手続補正１２】
【補正対象書類名】明細書
【補正対象項目名】００２７
【補正方法】変更
【補正の内容】
【００２７】
請求項８に記載の休憩支援方法は、複数のユーザの各々に設置された端末装置と、該端末装置と通信回線を介して接続されたサーバ装置とを備えた休憩支援システムを用いて前記各ユーザの休憩を支援する休憩支援方法であって、前記ユーザの休憩開始時刻を記録する工程と、前記ユーザの休憩終了時刻を記録する工程と、前記ユーザの合計休憩時間を集計する工程と、所定期間で集計された合計休憩時間が最短休憩時間に満たない前記ユーザに対して休憩取得勧告の通知を発行する工程と、所定期間で集計された合計休憩時間が最長休憩時間を越える前記ユーザに対して休憩削減勧告の通知を発行する工程とを有することを特徴とする。


【手続補正１３】
【補正対象書類名】明細書
【補正対象項目名】００２８
【補正方法】変更
【補正の内容】
【００２８】
請求項９に記載の記憶媒体は、複数のユーザの各々に設置された端末装置と、該端末装置と通信回線を介して接続されたサーバ装置とを備えた休憩支援システムに装着され、複数のユーザ間で協調しながら休憩をとる協調休憩を支援するためのプログラムを記憶する記憶媒体であって、前記プログラムは、前記ユーザの端末装置の画面上に他のユーザの休憩情報を表示する手順と、前記他のユーザとの協調休憩を選択する手順とを含むことを特徴とする。


【手続補正１４】
【補正対象書類名】明細書
【補正対象項目名】００２９
【補正方法】変更
【補正の内容】
【００２９】
請求項１０に記載の記憶媒体は、複数のユーザの各々に設置された端末装置と、該端末装置と通信回線を介して接続されたサーバ装置とを備えた休憩支援システムに装着され、前記各ユーザの休憩を支援するためのプログラムを記憶する記憶媒体であって、前記プログラムは、前記ユーザの休憩開始時刻を記録する手順と、前記ユーザの休憩終了時刻を記録する手順と、前記ユーザの合計休憩時間を集計する手順と、所定期間で集計された合計休憩時間が最短休憩時間に満たない前記ユーザに対して休憩取得勧告の通知を発行する手順と、所定期間で集計された合計休憩時間が最長休憩時間を越える前記ユーザに対して休憩削減勧告の通知を発行する手順とを含むことを特徴とする。


【手続補正１５】
【補正対象書類名】明細書
【補正対象項目名】００３０
【補正方法】変更
【補正の内容】
【００３０】
請求項１１に記載の端末装置は、複数のユーザの各々に設置され、複数のユーザ間で協調しながら休憩をとる協調休憩を支援するサーバ装置と通信回線を介して接続された端末装置であって、他のユーザの休憩情報を画面上に表示する休憩情報表示手段と、前記他のユーザとの協調休憩を選択する選択手段とを備えたことを特徴とする。


【手続補正１６】
【補正対象書類名】明細書
【補正対象項目名】００３１
【補正方法】変更
【補正の内容】
【００３１】
請求項１２に記載のサーバ装置は、複数のユーザの各々に設置された端末装置に通信回線を介して接続され、前記各ユーザの休憩を支援するサーバ装置であって、前記ユーザの休憩開始時刻を記録する開始時刻記録手段と、前記ユーザの休憩終了時刻を記録する終了時刻記録手段と、前記ユーザの合計休憩時間を集計する休憩時間集計手段と、所定期間で集計された合計休憩時間が最短休憩時間に満たない前記ユーザに対して休憩取得勧告の通知を発行する休憩取得勧告手段と、所定期間で集計された合計休憩時間が最長休憩時間を越える前記ユーザに対して休憩削減勧告の通知を発行する休憩削減勧告手段とを備えたことを特徴とする。